(57)【特許請求の範囲】
【請求項１】
正面視で、処理器外殻を含み、前記処理器外殻の中には作業空間が設置され、前記作業空間の右端壁には駆動機構が装着され、
前記駆動機構の左側には表面処理機構が設置され、前記表面処理機構は回転可能なネジ山ブロックを含み、前記ネジ山ブロックには第一傘歯車と第二傘歯車とがネジ山で連結され、前記第二傘歯車は前記第一傘歯車の下側に位置し、前記第一傘歯車と前記表面処理機構とは伝動可能に噛み合い、前記ネジ山ブロックの左側には表面処理器が設置され、前記作業空間の下端壁には置台が装着され、前記第一傘歯車と前記駆動機構との噛み合いによる伝動で、前記表面処理器は駆動されて前記ネジ山ブロックをめぐって回転でき、それにより、前記置台の上端面に置かれた顕晶類水晶に表面処理を施し、
前記作業空間の上端壁の中には下方に開口した環形溝が形成され、前記環形溝の中には制御機構が設置され、前記制御機構は前記表面処理機構の運動路線を制御でき、
前記作業空間の左端壁の中には右方に開口した狭チャンバが設置され、前記狭チャンバの中には降下機構が設置され、前記降下機構は左右にスライドできる細棒を含み、前記細棒は前記表面処理器を同じ時間間隔で下方へ押すことができ、それにより、より便利に顕晶類水晶に上から下まで全面的に処理を施せることができ、
前記表面処理機構は前記作業空間の上端壁と回転可能に連結された中心軸も含み、前記中心軸には前記ネジ山ブロックが固定され、前記ネジ山ブロックには前記第一傘歯車と前記第二傘歯車とがネジ山で連結され、前記第二傘歯車は前記第一傘歯車の下側に位置し、前記第二傘歯車と前記第一傘歯車とは二本の支持棒によって固定的に連結され、前記中心軸の左端面には横向き棒が固定的に設置され、前記横向き棒の左端には上端が前記環形溝の中に位置する力受け棒が固定的に設置され、前記力受け棒の上端には前記環形溝とスライド可能に連結された弓形ブロックが固定的に設置され、前記力受け棒の左端面には中空ブロックが固定的に設置され、前記中空ブロックの中には前方と左方に開口した方形チャンバが設置され、前記方形チャンバの上下端壁の間には短軸が回転可能に設置されており、
前記短軸には左端が前記作業空間の中に位置する単向棒が固定的に設置され、前記力受け棒の中には下方に開口した昇降チャンバが設置され、前記昇降チャンバの上端壁には昇降ばねが固定的に設置され、前記昇降ばねの下端には前記昇降チャンバとスライド可能に連結された昇降棒が固定的に設置され、前記昇降棒の下端は前記作業空間の中に位置し、且つ前記昇降棒の下端には前記表面処理器が固定的に設置され、前記昇降チャンバの左端壁は妨害溝を通じて前記作業空間と連通し、前記昇降チャンバの中の前記昇降棒の中には左方に開口した圧力溝が四つ均一に形成され、前記圧力溝の右端壁には圧力ばねが固定的に設置され、前記圧力ばねの左端には前記圧力溝とスライド可能に連結された圧力ブロックが固定的に設置され、最下側の前記圧力ブロックは前記妨害溝を貫通しており、
前記降下機構は前記作業空間の左端壁の中に位置する収納チャンバも含み、前記収納チャンバは右方に開口し、前記収納チャンバの上端壁には第一回転軸が回転可能に設置され、前記第一回転軸には伝動棒が六つ均一に、且つ固定的に設置され、前記第一回転軸の下端には第一伝動歯車が固定的に設置され、前記細棒の下端壁には上端が前記収納チャンバの中に位置する第二伝動軸が回転可能に設置され、前記第二伝動軸の上端には前記第一伝動歯車と伝動可能に噛み合った第二伝動歯車が固定的に設置され、前記狭チャンバの中には歯ブロックがスライド可能に設置され、前記第二伝動軸には半歯車が固定的に設置され、前記半歯車が回転する時に、前記歯ブロックと伝動可能に噛み合え、前記歯ブロックの右端面には前記細棒が固定的に設置されており、
前記駆動機構は前記作業空間の右端壁と固定的に連結されたモータを含み、前記モータの左端面には第一駆動軸が回転可能に設置され、前記第一駆動軸には駆動歯車が固定的に設置され、前記第一駆動軸の左端には前記第一傘歯車と伝動可能に噛み合った入力傘歯車が固定的に設置され、前記モータの下側には前記作業空間の右端壁と回転可能に連結された第二駆動軸が設置され、前記第二駆動軸には前記駆動歯車と伝動可能に噛み合った大型歯車が固定的に設置され、前記第二駆動軸の左端には出力傘歯車が固定的に設置されており、
前記制御機構は前記環形溝とスライド可能に連結された第一定位ブロックを含み、前記第一定位ブロックの中には前方に開口した第一弓形チャンバが設置され、前記第一弓形チャンバの上下端壁には前記環形溝と連通した三つの第一定位孔が均一に形成され、前記第一弓形チャンバの中には第二定位ブロックがスライド可能に設置され、前記第二定位ブロックの前端は前記環形溝の中に位置し、前記第二定位ブロックの中には左方に開口した第二弓形チャンバが設置され、前記第二弓形チャンバの上下端壁には四つの第二定位孔が均一に形成され、前記環形溝の上端壁には下方に開口した中心溝が形成され、前記中心溝の中には下端が前記第一定位孔と前記第二定位孔とを貫通した定位ピンが回転可能に設置されており、
前記ネジ山ブロックと前記第一傘歯車とのネジ山による連結によって、前記第一傘歯車は駆動されて降下し、前記入力傘歯車との噛合状態から離脱し、前記第二傘歯車は前記第一傘歯車につれ降下し、前記出力傘歯車と噛み合い、前記出力傘歯車と前記第二傘歯車との噛み合いよる伝動で、前記第二傘歯車は駆動されて逆方向へ回転し、
前記細棒は歯ブロックにつれ運動し、最下側の前記圧力ブロックを前記妨害溝の中から前記昇降チャンバの中に押し込み、前記昇降ばねは復帰し、前記昇降棒を降下連動させ、そして前記表面処理器は前記昇降棒につれ降下することを特徴とする顕晶類水晶表面の集中処理システム。
【請求項２】
前記昇降ばねと前記圧力ばねとは圧縮状態にあることを特徴とする請求項１に記載の顕晶類水晶表面の集中処理システム。
【請求項３】
前記定位ピンによって、前記第一定位ブロックと前記第二定位ブロックとが引っかかることができ、前記定位ピンは一定の角度で回転することで、前記中心溝の中から抜け出せることを特徴とする請求項１に記載の顕晶類水晶表面の集中処理システム。
【発明の詳細な説明】
【技術分野】
【０００１】
本発明は水晶処理分野を取り上げ、具体的には顕晶類水晶表面の集中処理システムである。
【背景技術】
【０００２】
水晶は天然鉱物の一種であり、中で顕晶類水晶は肉眼で判別できるタイプであり、簡単な表面処理を施すだけで良い外観効果を与えられる。しかし、既存する顕晶類水晶に対する加工は自動化レベルが低く、加工範囲の把握及び異なるサイズの水晶に対する加工はすべて人力で調節され、操作が煩雑で、時間もかかる。
【先行技術文献】
【特許文献】
【０００３】
【特許文献１】中国特許出願公開第１０６３６３４９７号明細書
【発明の概要】
【発明が解決しようとする課題】
【０００４】
本発明は顕晶類水晶表面の集中処理システムを提供し、水晶加工における自動化レベルが低いことや、処理範囲を人工で確定することなどの問題を解消することを目的とする。
【課題を解決するための手段】
【０００５】
本発明は以下の技術プランで実現する。
【０００６】
本発明の顕晶類水晶表面の集中処理システムは、処理器外殻を含み、前記処理器外殻の中には作業空間が設置され、前記作業空間の右端壁には駆動機構が装着され、
前記駆動機構の左側には表面処理機構が設置され、前記表面処理機構は回転可能なネジ山ブロックを含み、前記ネジ山ブロックには第一傘歯車と第二傘歯車とがネジ山で連結され、前記第二傘歯車は前記第一傘歯車の下側に位置し、前記第一傘歯車と前記表面処理機構とは伝動可能に噛み合い、前記ネジ山ブロックの左側には表面処理器が設置され、前記作業空間の下端壁には置台が装着され、前記第一傘歯車と前記駆動機構との噛み合いによる伝動で、前記表面処理器は駆動されて前記ネジ山ブロックをめぐって回転でき、それにより、前記置台の上端面に置かれた顕晶類水晶に表面処理を施し、
前記作業空間の上端壁の中には下方に開口した環形溝が形成され、前記環形溝の中には制御機構が設置され、前記制御機構は前記表面処理機構の運動路線を制御でき、
前記作業空間の左端壁の中には右方に開口した狭チャンバが設置され、前記狭チャンバの中には降下機構が設置され、前記降下機構は左右にスライドできる細棒を含み、前記細棒は前記表面処理器を同じ時間間隔で下方へ押すことができ、それにより、より便利に顕晶類水晶に上から下まで全面的に処理を施せる。
【０００７】
好ましくは、前記表面処理機構は前記作業空間の上端壁と回転可能に連結された中心軸も含み、前記中心軸には前記ネジ山ブロックが固定され、前記ネジ山ブロックには前記第一傘歯車と前記第二傘歯車とがネジ山で連結され、前記第二傘歯車は前記第一傘歯車の下側に位置し、前記第二傘歯車と前記第一傘歯車とは二本の支持棒によって固定的に連結され、前記中心軸の左端面には横向き棒が固定的に設置され、前記横向き棒の左端には上端が前記環形溝の中に位置する力受け棒が固定的に設置され、前記力受け棒の上端には前記環形溝とスライド可能に連結された弓形ブロックが固定的に設置され、前記力受け棒の左端面には中空ブロックが固定的に設置され、前記中空ブロックの中には前方と左方に開口した方形チャンバが設置され、前記方形チャンバの上下端壁の間には短軸が回転可能に設置されている。
【０００８】
好ましくは、前記短軸には左端が前記作業空間の中に位置する単向棒が固定的に設置され、前記力受け棒の中には下方に開口した昇降チャンバが設置され、前記昇降チャンバの上端壁には昇降ばねが固定的に設置され、前記昇降ばねの下端には前記昇降チャンバとスライド可能に連結された昇降棒が固定的に設置され、前記昇降棒の下端は前記作業空間の中に位置し、且つ前記昇降棒の下端には前記表面処理器が固定的に設置され、前記昇降チャンバの左端壁は妨害溝を通じて前記作業空間と連通し、前記昇降チャンバの中の前記昇降棒の中には左方に開口した圧力溝が四つ均一に形成され、前記圧力溝の右端壁には圧力ばねが固定的に設置され、前記圧力ばねの左端には前記圧力溝とスライド可能に連結された圧力ブロックが固定的に設置され、最下側の前記圧力ブロックは前記妨害溝を貫通する。
【０００９】
好ましくは、前記降下機構は前記作業空間の左端壁の中に位置する収納チャンバも含み、前記収納チャンバは右方に開口し、前記収納チャンバの上端壁には第一回転軸が回転可能に設置され、前記第一回転軸には伝動棒が六つ均一に、且つ固定的に設置され、前記第一回転軸の下端には第一伝動歯車が固定的に設置され、前記細棒の下端壁には上端が前記収納チャンバの中に位置する第二伝動軸が回転可能に設置され、前記第二伝動軸の上端には前記第一伝動歯車と伝動可能に噛み合った第二伝動歯車が固定的に設置され、前記狭チャンバの中には歯ブロックがスライド可能に設置され、前記第二伝動軸には半歯車が固定的に設置され、前記半歯車が回転する時に、前記歯ブロックと伝動可能に噛み合え、前記歯ブロックの右端面には前記細棒が固定的に設置されている。
【００１０】
好ましくは、前記駆動機構は前記作業空間の右端壁と固定的に連結されたモータを含み、前記モータの左端面には第一駆動軸が回転可能に設置され、前記第一駆動軸には駆動歯車が固定的に設置され、前記第一駆動軸の左端には前記第一傘歯車と伝動可能に噛み合った入力傘歯車が固定的に設置され、前記モータの下側には前記作業空間の右端壁と回転可能に連結された第二駆動軸が設置され、前記第二駆動軸には前記駆動歯車と伝動可能に噛み合った大型歯車が固定的に設置され、前記第二駆動軸の左端には出力傘歯車が固定的に設置されている。
【００１１】
好ましくは、前記制御機構は前記環形溝とスライド可能に連結された第一定位ブロックを含み、前記第一定位ブロックの中には前方に開口した第一弓形チャンバが設置され、前記第一弓形チャンバの上下端壁には前記環形溝と連通した三つの第一定位孔が均一に形成され、前記第一弓形チャンバの中には第二定位ブロックがスライド可能に設置され、前記第二定位ブロックの前端は前記環形溝の中に位置し、前記第二定位ブロックの中には左方に開口した第二弓形チャンバが設置され、前記第二弓形チャンバの上下端壁には四つの第二定位孔が均一に形成され、前記環形溝の上端壁には下方に開口した中心溝が形成され、前記中心溝の中には下端が前記第一定位孔と前記第二定位孔とを貫通した定位ピンが回転可能に設置されている。
【００１２】
好ましくは、前記昇降ばねと前記圧力ばねとは圧縮状態にある。
【００１３】
好ましくは、前記定位ピンによって、前記第一定位ブロックと前記第二定位ブロックとが引っかかることができ、前記定位ピンは一定の角度で回転することで、前記中心溝の中から抜け出せる。
【発明の効果】
【００１４】
本発明は以下のプラス効果を有する：本装置は顕晶類水晶の表面に自動化処理を施し、処理待ちの顕晶類水晶の表面範囲に応じて装置の運動範囲を調節でき、集中処理を行え、且つ顕晶類水晶の高度に応じて表面処理器の高度を調節でき、上から下まで全面的に処理を行え、徹底的に処理できる。
【図面の簡単な説明】
【００１５】
下記に図１〜５を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１６】
【図１】図１は本発明の顕晶類水晶表面の集中処理システムの全体全断面の正面構成    略図
【図２】図２は図１におけるＡの拡大略図
【図３】図３は図１におけるＢの拡大略図
【図４】図４は図１におけるＣ―Ｃ方向からの略図
【図５】図５は図１におけるＤ―Ｄ方向からの略図
【発明を実施するための形態】
【００１７】
図１〜５に記載された顕晶類水晶表面の集中処理システムは、処理器外殻１０を含み、前記処理器外殻１０の中には作業空間１１が設置され、前記作業空間１１の右端壁には駆動機構８２が装着され、
前記駆動機構８２の左側には表面処理機構８１が設置され、前記表面処理機構８１は回転可能なネジ山ブロック３６を含み、前記ネジ山ブロック３６には第一傘歯車３１と第二傘歯車３８とがネジ山で連結され、前記第二傘歯車３８は前記第一傘歯車３１の下側に位置し、前記第一傘歯車３１と前記表面処理機構８１とは伝動可能に噛み合い、前記ネジ山ブロック３６の左側には表面処理器３９が設置され、前記作業空間１１の下端壁には置台３７が装着され、前記第一傘歯車３１と前記駆動機構８２との噛み合いによる伝動で、前記表面処理器３９は駆動されて前記ネジ山ブロック３６をめぐって回転でき、それにより、前記置台３７の上端面に置かれた顕晶類水晶に表面処理を施す。
【００１８】
前記作業空間１１の上端壁の中には下方に開口した環形溝２４が形成され、前記環形溝２４の中には制御機構８３が設置され、前記制御機構８３は前記表面処理機構８１の運動路線を制御できる。
【００１９】
前記作業空間１１の左端壁の中には右方に開口した狭チャンバ１３が設置され、前記狭チャンバ１３の中には降下機構８０が設置され、前記降下機構８０は左右にスライドできる細棒１２を含み、前記細棒１２は前記表面処理器３９を同じ時間間隔で下方へ押すことができ、それにより、より便利に顕晶類水晶に上から下まで全面的に処理を施せる。
【００２０】
さらに、前記表面処理機構８１について詳しく説明し、前記表面処理機構８１は前記作業空間１１の上端壁と回転可能に連結された中心軸２６も含み、前記中心軸２６には前記ネジ山ブロック３６が固定され、前記ネジ山ブロック３６には前記第一傘歯車３１と前記第二傘歯車３８とがネジ山で連結され、前記第二傘歯車３８は前記第一傘歯車３１の下側に位置し、前記第二傘歯車３８と前記第一傘歯車３１とは二本の支持棒３２によって固定的に連結され、前記中心軸２６の左端面には横向き棒２５が固定的に設置され、前記横向き棒２５の左端には上端が前記環形溝２４の中に位置する力受け棒２２が固定的に設置され、前記力受け棒２２の上端には前記環形溝２４とスライド可能に連結された弓形ブロック２３が固定的に設置され、前記力受け棒２２の左端面には中空ブロック５４が固定的に設置され、前記中空ブロック５４の中には前方と左方に開口した方形チャンバ５９が設置され、前記方形チャンバ５９の上下端壁の間には短軸５６が回転可能に設置され、
前記短軸５６には左端が前記作業空間１１の中に位置する単向棒５５が固定的に設置され、前記力受け棒２２の中には下方に開口した昇降チャンバ５７が設置され、前記昇降チャンバ５７の上端壁には昇降ばね５８が固定的に設置され、前記昇降ばね５８の下端には前記昇降チャンバ５７とスライド可能に連結された昇降棒４０が固定的に設置され、前記昇降棒４０の下端は前記作業空間１１の中に位置し、且つ前記昇降棒４０の下端には前記表面処理器３９が固定的に設置され、前記昇降チャンバ５７の左端壁は妨害溝５１を通じて前記作業空間１１と連通し、前記昇降チャンバ５７の中の前記昇降棒４０の中には左方に開口した圧力溝５３が四つ均一に形成され、前記圧力溝５３の右端壁には圧力ばね６０が固定的に設置され、前記圧力ばね６０の左端には前記圧力溝５３とスライド可能に連結された圧力ブロック５２が固定的に設置され、最下側の前記圧力ブロック５２は前記妨害溝５１を貫通する。  
【００２１】
さらに、前記降下機構８０について詳しく説明し、前記降下機構８０は前記作業空間１１の左端壁の中に位置する収納チャンバ１９も含み、前記収納チャンバ１９は右方に開口し、前記収納チャンバ１９の上端壁には第一回転軸２１が回転可能に設置され、前記第一回転軸２１には伝動棒１８が六つ均一に、且つ固定的に設置され、前記第一回転軸２１の下端には第一伝動歯車２０が固定的に設置され、前記細棒１２の下端壁には上端が前記収納チャンバ１９の中に位置する第二伝動軸１５が回転可能に設置され、前記第二伝動軸１５の上端には前記第一伝動歯車２０と伝動可能に噛み合った第二伝動歯車１７が固定的に設置され、前記狭チャンバ１３の中には歯ブロック１６がスライド可能に設置され、前記第二伝動軸１５には半歯車１４が固定的に設置され、前記半歯車１４が回転する時に、前記歯ブロック１６と伝動可能に噛み合え、前記歯ブロック１６の右端面には前記細棒１２が固定的に設置されている。
【００２２】
好ましくは、前記駆動機構８２は前記作業空間１１の右端壁と固定的に連結されたモータ２９を含み、前記モータ２９の左端面には第一駆動軸２８が回転可能に設置され、前記第一駆動軸２８には駆動歯車３０が固定的に設置され、前記第一駆動軸２８の左端には前記第一傘歯車３１と伝動可能に噛み合った入力傘歯車２７が固定的に設置され、前記モータ２９の下側には前記作業空間１１の右端壁と回転可能に連結された第二駆動軸３３が設置され、前記第二駆動軸３３には前記駆動歯車３０と伝動可能に噛み合った大型歯車３４が固定的に設置され、前記第二駆動軸３３の左端には出力傘歯車３５が固定的に設置されている。
【００２３】
好ましくは、前記制御機構８３は前記環形溝２４とスライド可能に連結された第一定位ブロック４３を含み、前記第一定位ブロック４３の中には前方に開口した第一弓形チャンバ４５が設置され、前記第一弓形チャンバ４５の上下端壁には前記環形溝２４と連通した三つの第一定位孔４７が均一に形成され、前記第一弓形チャンバ４５の中には第二定位ブロック４４がスライド可能に設置され、前記第二定位ブロック４４の前端は前記環形溝２４の中に位置し、前記第二定位ブロック４４の中には左方に開口した第二弓形チャンバ４２が設置され、前記第二弓形チャンバ４２の上下端壁には四つの第二定位孔５０が均一に形成され、前記環形溝２４の上端壁には下方に開口した中心溝４８が形成され、前記中心溝４８の中には下端が前記第一定位孔４７と前記第二定位孔５０とを貫通した定位ピン４１が回転可能に設置されている。
【００２４】
好ましくは、前記昇降ばね５８と前記圧力ばね６０とは圧縮状態にある。
【００２５】
好ましくは、前記定位ピン４１によって、前記第一定位ブロック４３と前記第二定位ブロック４４とが引っかかることができ、前記定位ピン４１は一定の角度で回転することで、前記中心溝４８の中から抜け出せる。
【００２６】
装置全体の作動手順は以下の通りである。
【００２７】
１．加工待ちの顕晶類水晶を置台３７に置き、加工を受ける水晶面の範囲を確定し、定位ピン４１を回して抜き出し、第二定位ブロック４４と第一定位ブロック４３との位置を調整し、第一定位ブロック４３の左端面と第二定位ブロック４４の左端面との間の空間が加工する範囲である。
【００２８】
２．モータ２９を始動し、第一駆動軸２８を回転連動させ、駆動歯車３０と入力傘歯車２７とは第一駆動軸２８につれ回転し、駆動歯車３０と大型歯車３４との噛み合いよる伝動で、出力傘歯車３５は駆動されて回転し、入力傘歯車２７と第一傘歯車３１との噛み合いよる伝動で、第一傘歯車３１は駆動されて回転し、それにより、中心軸２６は駆動されて回転し、表面処理器３９は中心軸２６の回転につれ、水晶表面に処理を施す。
【００２９】
３．弓形ブロック２３が中心軸２６につれ第一定位ブロック４３に止められるまで運動し、ネジ山ブロック３６と第一傘歯車３１とのネジ山による連結によって、第一傘歯車３１は駆動されて降下し、入力傘歯車２７との噛合状態から離脱し、第二傘歯車３８は第一傘歯車３１につれ降下し、出力傘歯車３５と噛み合い、出力傘歯車３５と第二傘歯車３８との噛み合いよる伝動で、第二傘歯車３８は駆動されて逆方向へ回転する。
【００３０】
４．中心軸２６は第二傘歯車につれ逆方向へ回転し、それにより、表面処理器３９は駆動されて回転し、水晶に塗料を吹き付ける。
【００３１】
５．弓形ブロック２３が第二定位ブロック４４にとめられるまで、中心軸２６は引き続き逆方向へ回転し、単向棒５５は中心軸２６につれ回転し、この方向で、単向棒５５は伝動棒１８を押して回転させ、それにより、第一伝動歯車２０は駆動されて回転し、第一伝動歯車２０と第二伝動歯車１７との噛み合いよる伝動で、半歯車１４は駆動されて回転する。
【００３２】
６．半歯車１４と歯ブロック１６との噛み合いよる伝動で、歯ブロック１６は駆動されて左右に往復運動し、細棒１２は歯ブロック１６につれ運動し、最下側の圧力ブロック６２を妨害溝５１の中から昇降チャンバ５７の中に押し込み、昇降ばね５８は復帰し、昇降棒４０を降下連動させ、そして表面処理器３９は昇降棒４０につれ降下し、それにより、上から下まで水晶に表面処理を施す。
【００３３】
７．処理終えた後に、次の処理待ちの水晶の高度をあわせ、表面処理器３９を上方へ押し動かすことができる。
【００３４】
以上の実施例はあくまで本発明の技術的原理と特徴を説明するためのものであり、本分野の技術者に本発明を理解できることと実施できることを目的とし、本発明を限定するためのものではなく、本発明の意義と原則のもとで行われたいかなる修正と、等価置換と改善などは本発明の保護範囲に含まれるべきである。
【図１】
0006810837.tif 000002
【図２】
0006810837.tif 000003
【図３】
0006810837.tif 000004
【図４】
0006810837.tif 000005
【図５】
0006810837.tif 000006